(57)【要約】【課題】本発明は、土壌を全く用いず植物に必要な栄養分を含んだ水溶液で植物を培養することができる種子を蒔いた培地体を包装した包装体およびそれを用いた水耕栽培方法を提供するのが目的である。【解決手段】種子を蒔いた培地体１を包装した包装体Ａであって、包装がガゼット袋２からなり、培地体１の底形状がガゼット袋２の底に収まる形状であり、開口部３を密封した包装体およびそれを用いて、ガゼット袋２の開口部３を開口し、前記培地体１を該ガゼット袋２から取り出すことなく、該ガゼット袋２に入れたまま、該ガゼット袋２の中に少なくとも培地体１が沈まない程度の培養液を入れ栽培することを特徴とする水耕栽培方法である。【選択図】図１
2005110618.tif 000002
【特許請求の範囲】
【請求項１】
種子を蒔いた培地体を包装した包装体であって、包装がガゼット袋からなり、培地体の底形状が該ガゼット袋の底に収まる形状であり、開口部を密封したことを特徴とする包装体。
【請求項２】
前記ガゼット袋内部を真空または脱気し、開口部を密封したことを特徴とする請求項１記載の包装体。
【請求項３】
前記培地体が上下２層構成でなり、上部層が種子より大きな気孔部を有し、下部層の気孔部が該上部層の気孔部より、平均して小さいことを特徴とする請求項１又は２記載の包装体。
【請求項４】
前記ガゼット袋の開口部を開口し、前記培地体を該ガゼット袋から取り出すことなく、該ガゼット袋に入れたまま、該ガゼット袋の中に少なくとも培地体が沈まない程度の培養液を入れ栽培することを特徴とする請求項１乃至３のいずれか１項記載の水耕栽培方法。
【発明の詳細な説明】
【技術分野】
【０００１】
本発明は、家庭で植物栽培が容易にできる植物栽培用の簡易水耕栽培キットに関するものであり、さらに詳しくは、土壌を全く用いず植物に必要な栄養分を含んだ水溶液で植物を培養することができる種子を蒔いた培地体を包装した包装体およびそれを用いた水耕栽培方法に関するものである。
【背景技術】
【０００２】
一般的に水耕栽培の方法は、植物を栽培する容器を別に準備し、その容器に必要な栄養分を含んだ水溶液を注入し、植物の種子が蒔かれた培地体を水溶液に一部浸漬する状態に保持するためのいろいろな保持具を用いて容器内に収納している。
【０００３】
したがって、その保持具の取り付けが複雑であり、また保持具の種類によってはコストが掛かってしまうなど植物栽培用の簡易水耕栽培キットには不適当であった。
【０００４】
そこで上記の問題点を解決するために、上部開口型袋本体の開口部内には種子等を蒔くための培地体を係止して袋本体内で支持する支持手段を設けた植物栽培用袋が提案されている（例えば、特許文献１参照。）。
【０００５】
この提案のように、培地体を係止する保持部が袋本体をヒートシールによるシール線や点シールであるので該袋本体と一体化され別途保持具を取り付ける必要はない。
【０００６】
以下に先行技術文献を示す。
【特許文献１】実開平５−２６６３号公報
【発明の開示】
【発明が解決しようとする課題】
【０００７】
しかしながら、上記のような植物栽培用袋は、培地体を係止する保持部は袋本体に一体化されているが、培地体は該袋内には入っていないので、別途袋内に挿入する必要があり、その手間が必要である。
【０００８】
また、植物栽培用の簡易水耕栽培キットとして販売する場合は、植物栽培用袋の他に培地体も外気に直接ふれるのを防止するため別途包装しておく必要もあり、手間と包装コストもかかり、トータル的にはコスト高となる問題点があった。
【０００９】
本発明は、このような従来技術の問題点を解決しようとするものであり、土壌を全く用いず植物に必要な栄養分を含んだ水溶液で植物を培養することができる種子を蒔いた培地体を包装した包装体およびそれを用いた水耕栽培方法を提供するのが目的である。
【課題を解決するための手段】
【００１０】
本発明の請求項１に係る発明は、種子を蒔いた培地体１を包装した包装体Ａであって、包装がガゼット袋２からなり、培地体１の底形状が該ガゼット袋２の底に収まる形状であり、開口部３を密封したことを特徴とする包装体である。
【００１１】
本発明の請求項２に係る発明は、請求項１記載の包装体において、  前記ガゼット袋２内部を真空または脱気し、開口部３を密封したことを特徴とする包装体である。
【００１２】
本発明の請求項３に係る発明は、請求項１又は２記載の包装体において、前記培地体１が上下２層構成でなり、上部層１ａが種子より大きな気孔部４を有し、下部層１ｂの気孔部５が該上部層１ａの気孔部４より、平均して小さいことを特徴とする包装体である。
【００１３】
本発明の請求項４に係る発明は、請求項１乃至３のいずれか１項記載のガゼット袋２の開口部３を開口し、前記培地体１を該ガゼット袋２から取り出すことなく、該ガゼット袋２に入れたまま、該ガゼット袋２の中に少なくとも培地体１が沈まない程度の培養液を入れ栽培することを特徴とする水耕栽培方法である。
【発明の効果】
【００１４】
本発明の包装体およびそれを用いた水耕栽培方法は、種子を蒔いた培地体を包装した包装体であって、包装がガゼット袋からなり、培地体の底形状が該ガゼット袋の底に収まる形状で自立性を補完することができ、また前記培地体が上下層構成でなり、上部層が種子より大きな気孔部を有し、下部層の気孔部が該上部層の気孔部より、平均して小さいことにより、上部層は種子が埋め込みやすく、下部層は水分を保持しやすくなり、さらに該袋内部を真空または脱気し、開口部を密封した包装体により、全体の厚みを薄くすることができ、前記培地体を該ガゼット袋から取り出すことなく、該ガゼット袋に入れたまま、該ガゼット袋の中に少なくとも培地体が沈まない程度の培養液を入れ栽培することができるので、プレミアムとして各種の商品に添付しやすい植物栽培用の簡易水耕栽培キットである。
【発明を実施するための最良の形態】
【００１５】
本発明の実施の形態を図１から図４に基づいて詳細に説明する。
【００１６】
図１は、本発明に係る包装体Ａの１実施例を示す斜視図であり、図２は本発明に係る培地体１の平面図であり、図３は、図２の側断面図であり、図４は、本発明に係るガゼット袋２を完全に開口し、起立させた底部に培地体１を備えた包装体Ａの１実施例を示す斜視図である。
【００１７】
本発明の包装体Ａは、種子を蒔いた培地体１を包装した包装体Ａであって、包装がガゼット袋２からなり、培地体１の底形状がガゼット袋２の底に収まる形状であり、開口部３を密封した形態をしている。
【００１８】
また、前記ガゼット袋２内部を真空または脱気し、開口部３を密封した包装体であってもよい。
【００１９】
該ガゼット袋２は、合成樹脂または生分解性合成樹脂をフィルム化した材料を単体で使用する場合やラミネート技術により、基材フィルムにシーラント層を複合化した積層材料を使用することができる。
【００２０】
前記合成樹脂としては、ポリエチレン（低密度ポリエチレン、中密度ポリエチレン、高密度ポリエチレン、直鎖状低密度ポリエチレン）、ポリプロピレン、ポリブテンなどのポリオレフィン系樹脂、アクリル系樹脂、ポリ塩化ビニル系樹脂、ポリスチレン系樹脂、ポリ塩化ビニリデン系樹脂、エチレン−酢酸ビニル共重合体樹脂、アイオノマー樹脂、ポリビニルアルコール系樹脂、ポリ酢酸ビニル系樹脂、ポリアセタール系樹脂、ポリエステル系樹脂、ポリアミド系樹脂、ポリウレタン系樹脂、ポリカーボネート系樹脂、フッ素系樹脂、その他などの各種の樹脂を使用することができる。
【００２１】
例えば、基材にポリプロピレンフィルム、ポリエステルフィルムなどを使用して、シーラント層にポリエチレンを使用した２層構成の積層材料や中間層を含めた３層構成以上の
積層材料によりガゼット袋２を作製することができる。
【００２２】
この際、積層材料の中間層または最外層に横引裂性のある延伸フィルムを用いることにより、開封直進性を持たせることが好ましい。
【００２３】
また、種子の発芽条件により、該袋に遮光性の有無を選択し、その遮光性を得る方法としては、積層材料の遮光性に依存してもよいし、遮光性物質をコーティングや印刷により付与してもよい。
【００２４】
次に、生分解性合成樹脂の場合は、例えば、微生物系としてバイオポリエステル、バクテリアセルロース、微生物多糖（プルラン、カードランなど）などがある。
【００２５】
化学合成系には、脂肪族ポリエステル（ポリカプロラクトン、ポリブチレンサクシネート、ポリエチレンサクシネート、ポリグリコール酸、ポリ乳酸など）、ポリビニルアルコール、ポリアミノ酸類などがある。
【００２６】
また、天然物系には、キトサン／セルロース、澱粉、酢酸セルロースなどがあり、複合物としては、澱粉／脂肪族ポリエステル、澱粉／ポリビニルアルコールなどがある。
【００２７】
これらのいずれか１種を単体で使用するか、積層材料として使用することにより、使用後には土壌、堆肥の中に生息する好気性微生物や分解酵素により生分解を受け、最終的に二酸化炭素や水に分解し、無機物になれば廃プラスチックの処理問題も解決できるなどの利点がある。
【００２８】
次に、ガゼット袋２の形態は、サイド折り込幅を大きく取り、広げた時の自立性を確保することが必要である。
【００２９】
サイズ的には、培地体１の底形状がガゼット袋２の底に収まる形状であることが好ましい。
【００３０】
該ガゼット袋２に培地体１を充填した後、真空または脱気し、開口部３をヒートシール方式などにより密封することで包装体Ａ全体の厚みを薄くすることができる。
【００３１】
この際、該ガゼット袋２の使用時の開封性を容易にするために、開口部３のヒートシール部の下部側端部に一般的にノッチ（切込み）を設けるが、該ノッチ周辺をシールすることにより気密性を保つこともできる。
【００３２】
次に、図２および図３に示すように、培地体１は、前記培地体１が上下２層構成でなり、上部層１ａが種子より大きな気孔部４を有し、下部層１ｂの気孔部５が該上部層１ａの気孔部４より、平均して小さい構造になっている。
【００３３】
すなわち、上部層１ａである表面は、粗い目で、種子が埋まるようになっており、下部層１ｂの裏面は、細かい目で水分を保持しやすくなっている。
【００３４】
この、培地体１は、スポンジ、発泡ウレタン、ロックウールなどの公知の素材を使用して作製することができる。
【００３５】
次に、このような包装体Ａを用いて、ガゼット袋２の開口部３を矩形状に開口し、培地体１を該ガゼット袋２から取り出すことなく、該ガゼット袋２に入れたまま、該ガゼット袋２の底部に設置し、少なくとも培地体１が沈まない程度の培養液を入れ植物を栽培する
簡易水耕栽培キットである。
【００３６】
以上のように、本発明の包装体Ａおよびそれを用いた水耕栽培方法は、種子を蒔いた培地体１を包装した包装体Ａであって、包装がガゼット袋２からなり、培地体１の底形状がガゼット袋２の底に収まる形状で自立性を補完することができ、また前記培地体１が上下層構成でなり、上部層１ａが種子より大きな気孔部４を有し、下部層１ｂの気孔部５が該上部層１ａの気孔部４より、平均して小さいことにより、上部層１ａは種子が埋め込みやすく、下部層１ｂは水分を保持しやすくなり、さらに該袋２内部を真空または脱気し、開口部３を密封した包装体Ａにより、全体の厚みを薄くすることができ、前記培地体１を該ガゼット袋２から取り出すことなく、該ガゼット袋２に入れたまま、該ガゼット袋２の中に少なくとも培地体１が沈まない程度の培養液を入れ栽培することができるので、プレミアムとして各種の商品に添付しやすい植物栽培用の簡易水耕栽培キットである。
【図面の簡単な説明】
【００３７】
【図１】本発明に係る包装体の１実施例を示す斜視図である。
【図２】本発明に係る培地体の平面図である。
【図３】図２の側断面図である。
【図４】本発明に係るガゼット袋を完全に開口し、起立させた底部に培地体を備えた包装体の１実施例を示す斜視図である。
【符号の説明】
【００３８】
Ａ・・・包装体
１・・・培地体    １ａ・・・上部層    １ｂ・・・下部層
２・・・ガゼット袋
３・・・開口部
４・・・気孔部
５・・・気孔部
【図１】
2005110618.tif 000003
【図２】
2005110618.tif 000004
【図３】
2005110618.tif 000005
【図４】
2005110618.tif 000006